(57)【要約】【課題】  手動式のテープカッタであって、特に、粘着テープの先端に粘着面同士を一定の長さで接着した摘み部となるタブを形成し、摘み部分を摘む事により、容易に剥離することができる粘着テープを供給することを可能とした、安全性の高いタブ形成機構を装備したテープカッタを提供する。【解決手段】  テープカッタ本体１０と、粘着テープ２５と、テープ保持部２０と、テープ切断部５０と、テープ送出部３０と、タブ形成部４０と、からなるテープカッタであって、テープ送出部３０は、揺動板３２と、揺動ギア３５が固着されるテープ送出ローラ３４と、付勢ローラ３６とから形成されるとともに、タブ形成部４０は、可動部４２と、タブ形成基部４４と、タブ形成制御棒４６と、カム制御ギア６２と、タブ形成基部４４を揺動させるタブ形成部制御カム６４とからなるタブ形成制御機構６０を装備した構成である。【選択図】  図１
2013175544.tif 000002
【特許請求の範囲】
【請求項１】
テープカッタ本体１０と、捲回された粘着テープ２５と、該粘着テープを回動可能に保持するテープ保持部２０と、粘着テープをカッタ５２で切断するテープ切断部５０と、該粘着テープを送出するテープ送出部３０と、粘着テープの切断面（引き出された残テープの先頭）にタブを形成するタブ形成部４０と、からなるテープカッタにおいて、
前記テープ送出部３０は、粘着テープの引き出し動作に応じて揺動する揺動板３２と、揺動ギア３５が固着され、前記揺動板に回転自在に保持されるテープ送出ローラ３４と、粘着テープの引き出し時に前記揺動板を揺動させる付勢ローラ３６と、から形成されるとともに、
前記タブ形成部４０は、負荷抑制ローラ４３を備えた可動部４２と、テープ引き出し時にはテープ切断部５０と供に引き出し方向に軸回転し、テープ切断完了時には引き出された残テープ（切出し基のテープ）の先端を保持して逆戻り回転して残テープの先頭端にタブを形成するタブ形成基部４４と、前記タブ形成基部の回転軸近傍に装着されるタブ形成制御棒４６と、から構成されており、
前記タブ形成部４０は、テープ引き出し動作時に前記揺動ギア３５からの回転力を受け取るカム制御ギア６２と、前記カム制御ギアに固着され、前記タブ形成制御棒４６と当接し、カムの形状に応じてタブ形成基部４４を揺動させるタブ形成部制御カム６４とからなるタブ形成制御機構６０を装備したことを特徴とするテープカッタ。
【請求項２】
前記テープカッタは、
テープ引き出し時において、前記付勢ローラ３６による揺動板３２の揺動に伴って、前記テープ送出ローラ３４に固着された前記揺動ギア３５が移動して固定ギア６６と噛合し、更に単一または複数のギアを介して前記カム制御ギア６２に回転力を伝達するとともに、前記タブ形成制御棒４６が前記タブ形成部制御カム６４の形状に応じて移動するのに伴って、タブ形成基部４４がテープ送出方向へ移動し、
テープ切断完了時において、前記タブ形成基部４４に併設され、カッタ５２を有し前記タブ形成基部４４の前後動に応動するテープ切断部５０が引き出された残テープを保持するとともに、前記揺動ギア３５が揺動制御弾性体３８の復元力により逆方向へ移動して前記固定ギア６６との噛合を解除し、タブ形成弾性体の復元力により前記タブ形成基部４４が逆回転して、タブを形成することを特徴とする請求項１記載のテープカッタ。
【請求項３】
前記テープ切断部５０は、前記カッタ５２と、前記カッタを固定するカッタホルダ５４と、上下動自在に装着されるカッタカバー５６と、からなり、
テープ引き出し時においては、前記タブ形成基部４４から分離移動するとともに、カッタカバー５６を下降移動して切断可能とし、
テープ切断完了時においては、前記タブ形成基部４４に合体係合するとともに、カッタカバー５６を上昇移動してカッタ５２を格納保持することを特徴とする請求項１又は請求項２記載のテープカッタ。
【請求項４】
前記可動部４２は、テープ引き出し動作に応じて前後移動自在に装着されることを特徴とする請求項１乃至請求項３記載のテープカッタ。
【請求項５】
前記テープ切断部５０は、切断時に引き出された残テープを保持するテープ保持部５８を具備し、前記可動部４２は、引き出された残テープの剥がれを防止するテープ係止部４８を具備することを特徴とする請求項１乃至請求項４記載のテープカッタ。
【請求項６】
前記テープ係止部４８は、横長の断面略半円筒形の長板からなることを特徴とする請求項５記載のテープカッタ。
【請求項７】
前記テープ係止部４８は、タブを確実に形成するため、断面略半円筒形の長板を２分割し、その中央に粘着テープの断面を略Ｕ字型に成形するテープ係止間隙４１を設けたことを特徴とする請求項５または請求項６記載のテープカッタ。
【請求項８】
前記タブ形成部４０の可動部４２は、テープ係止部４８を交換自在に構成するため、可動部４２に着脱自在に装着できるテープ係止基部４７とテープ係止部４８からなるテープ係止ユニット４５を装着したことを特徴とする請求項５乃至請求項７記載のテープカッタ。
【請求項９】
前記タブ形成基部４４は、タブを確実に形成するため、テープ引き出し時に粘着テープの粘着面に接してテープを上方向に付勢する非粘着上面４９を装備したことを特徴とする請求項１乃至請求項８記載のテープカッタ。
【請求項１０】
前記テープ送出ローラ３４、テンションローラ３９ａ、３９ｂ、付勢ローラ３６、負荷抑制ローラ４３は、円筒の長手方向中央部が膨らんだ樽状であることを特徴とする請求項１乃至請求項９記載のテープカッタ。
【請求項１１】
前記テープ保持部２０は、粘着テープ２５を保持するリール２２の回転トルクを調整するトルク調整機構２４を装備したことを特徴とする請求項１乃至請求項１０記載のテープカッタ。
【発明の詳細な説明】
【技術分野】
【０００１】
本発明は、粘着テープを供給するテープカッタに関し、特に、切断された粘着テープの先端に粘着面同士を一定の長さで接着した粘着性のない摘み部となるタブを次回の切断テープ用に形成するテープカッタに関する。
【背景技術】
【０００２】
従来より、粘着テープ用のテープカッタは幅広い分野で使用されており、日常生活から業務用途に至るまで、テープカッタは必要不可欠な器具として定着している。現在では、テープカッタの機能を向上させ、また、使い勝手を良くするための技術が多く開発されている。例えば、本件の出願人は、特開２００５−７５５６０号や特開２００６−１０３８０８号等に開示されているテープカッタの開発者であり、他にも機能性を高めたテープカッタの研究開発に従事している。【０００３】
テープカッタの基本構成は、テープカッタ本体と、テープ保持部と、テープ切断部とからなり、テープ保持部に粘着テープが巻き取られたロール状のものが設置され、粘着テープが引き出されることによりテープ保持部が軸回転し、テープ切断部によって切断される。残留テープの先端は、テープ切断部に接着された状態で次の使用に供される状態となり、任意長のテープ切断片が必要に応じて順次供給されるものである。【０００４】
テープカッタで供給されるカットされた粘着テープの使用態様として、包装などを接着し、剥がれないようにすることを目的とすることが多いと考えられる。例えば、業務用途として、スーパーや百貨店で商品を包装用紙で梱包したり、封筒や小包を梱包する場面で使用されるが、一方で、テープは貼り付ける当初から剥がすことを目的とすることもある。例えば、電気製品などの流通時に、部品が梱包内で遊動するのを防ぐため、各部品を一時的に粘着テープで留めることが広く一般的に行われている。【０００５】
ところが、粘着テープの粘着の度合いによっては、粘着テープが対象物に強力に密着して剥がし難くなることがある。これを改善する一つの手段として、粘着テープの端部を粘着テープ側に折畳み、粘着面同士を貼り合わせて粘着性のない摘み部となるタブを先端に形成し、この部分を摘んで容易に剥がせるようにする工夫が、様々な分野で日常的に行われている。【０００６】
このような粘着テープの端部に設ける摘み部となるタブの形成を半ば自動化したテープカッタに関する技術として、特開平１１−４９４１９号に開示された技術がある。この発明では、切断されたテープの先端にタブを形成するにあたり、テープカッタは、粘着テープの切断処理を行うカッター機構、残留テープの先端面に折込み処理を行う折込み機構および折込み部分の折曲げ処理を行う折曲げ機構を具備し、それぞれが各機構に設けられたカムにより、粘着テープの切断処理、残留テープの先端部の折込み処理、折込み部分の折曲げ処理の連係動作にズレを生じることがなく周期的な運動が与えられることで、次回の切断に備えて引き出し予定の粘着テープの先端にタブを形成する技術が開示されている。【０００７】
開示された技術によると、正確に残留テープの先端にタブが形成されることになるものの、テープ折畳みのタイミングが微妙であるため、精度が少しでもずれるとタブの形成が出来なくなるという問題があった。また、機器の正確さが要求されることからテープカッタの製作コストが高く付くという問題もあった。【０００８】
また、特開２００４−２８４６８７では、接着テープを、可動カッター部を離隔回動して仮着受部に仮接着した状態で切断し、可動カッター部をバネによって復帰回動することにより、タブを形成する技術が開示されている。この技術によると、安価で耐久性の高いテープカッタを製造する事ができるが、確実に上方向にタブを形成することが難しいという問題点があった。また、粘着テープには強度や幅など用途に応じた様々な種類が存在するため、全ての種類の粘着テープに対応しているということが出来なかった。更に、カッタは常に外部に露出している構成であるため、使用時や保管時等に不慮の怪我を被る虞があった。【０００９】
そこで、構造が複雑になり過ぎず、且つ正確に摘み部となるタブを形成することができ、安全性にも優れたテープカッタの開発が望まれていた。
【特許文献１】特開平１１−４９４１９号公報
【特許文献２】特開２００４−２８４６８７公報
【発明の開示】
【発明が解決しようとする課題】
【００１０】
本発明は上記問題を解決するために、手動式のテープカッタであって、特に、粘着テープの先端に粘着面同士を一定の長さで接着した摘み部となるタブを形成し、摘み部分を摘む事により、容易に剥離することができる粘着テープを供給することを可能とした、安全性の高いタブ形成機構を装備したテープカッタを提供することを目的とする。
【課題を解決するための手段】
【００１１】
上記の目的を達成するために本発明に係るテープカッタは、テープカッタ本体１０と、捲回された粘着テープ２５と、該粘着テープを回動可能に保持するテープ保持部２０と、粘着テープをカッタ５２で切断するテープ切断部５０と、該粘着テープを送出するテープ送出部３０と、粘着テープの切断面（引き出された残テープの先頭）にタブを形成するタブ形成部４０と、からなるテープカッタであって、前記テープ送出部３０は、粘着テープの引き出し動作に応じて揺動する揺動板３２と、揺動ギア３５が固着され、前記揺動板に回転自在に保持されるテープ送出ローラ３４と、粘着テープの引き出し時に前記揺動板を揺動させる付勢ローラ３６と、から形成されるとともに、前記タブ形成部４０は、負荷抑制ローラ４３を備えた可動部４２と、テープ引き出し時にはテープ切断部５０と供に引き出し方向に軸回転し、テープ切断完了時には引き出された残テープ（切出し基のテープ）の先端を保持して逆戻り回転して残テープの先頭端にタブを形成するタブ形成基部４４と、前記タブ形成基部の回転軸近傍に装着されるタブ形成制御棒４６と、から構成されており、前記タブ形成部４０は、テープ引き出し動作時に前記揺動ギア３５からの回転力を受け取るカム制御ギア６２と、前記カム制御ギアに固着され、前記タブ形成制御棒４６と当接し、カムの形状に応じてタブ形成基部４４を揺動させるタブ形成部制御カム６４とからなるタブ形成制御機構６０を装備した構成である。【００１２】
また、前記テープカッタは、テープ引き出し時において、前記付勢ローラ３６による揺動板３２の揺動に伴って、前記テープ送出ローラ３４に固着された前記揺動ギア３５が移動して固定ギア６６と噛合し、更に単一または複数のギアを介して前記カム制御ギア６２に回転力を伝達するとともに、前記タブ形成制御棒４６が前記タブ形成部制御カム６４の形状に応じて移動するのに伴って、タブ形成基部４４がテープ送出方向へ移動し、テープ切断完了時において、前記タブ形成基部４４に併設され、カッタ５２を有し前記タブ形成基部４４の前後動に応動するテープ切断部５０が引き出された残テープを保持するとともに、前記揺動ギア３５が揺動制御弾性体３８の復元力により逆方向へ移動して前記固定ギア６６との噛合を解除し、タブ形成弾性体の復元力により前記タブ形成基部４４が逆回転して、タブを形成する構成である。【００１３】
また、前記テープ切断部５０は、前記カッタ５２と、前記カッタを固定するカッタホルダ５４と、上下動自在に装着されるカッタカバー５６と、からなり、テープ引き出し時においては、前記タブ形成基部４４から分離移動するとともに、カッタカバー５６を下降移動して切断可能とし、テープ切断完了時においては、前記タブ形成基部４４に合体係合するとともに、カッタカバー５６を上昇移動してカッタ５２を格納保持する構成である。【００１４】
また、前記可動部４２は、テープ引き出し動作に応じて前後移動自在に装着される構成である。
更に、前記テープ切断部５０は、切断時に引き出された残テープを保持するテープ保持部５８を具備し、前記可動部４２は、引き出された残テープの剥がれを防止するテープ係止部４８を具備する構成である。【００１５】
また、前記テープ係止部４８は、横長の断面略半円筒形の長板からなる構成である。
また、前記テープ係止部４８は、タブを確実に形成するため、断面略半円筒形の長板を２分割し、その中央に粘着テープの断面を略Ｕ字型に成形するテープ係止間隙４１を設けた構成である。
また、前記タブ形成部４０の可動部４２は、テープ係止部４８を交換自在に構成するため、可動部４２に着脱自在に装着できるテープ係止基部４７とテープ係止部４８からなるテープ係止ユニット４５を装着した構成からなる。【００１６】
また、前記タブ形成基部４４は、タブを確実に形成するため、テープ引き出し時に粘着テープの粘着面に接してテープを上方向に付勢する非粘着上面４９を装備した構成である。
また、前記テープ送出ローラ３４、テンションローラ３９ａ、３９ｂ、付勢ローラ３６、負荷抑制ローラ４３は、円筒の長手方向中央部が膨らんだ樽状である構成である。
更に、前記テープ保持部２０は、粘着テープ２５を保持するリール２２の回転トルクを調整するトルク調整機構２４を装備した構成である。
【発明の効果】
【００１７】
本発明は、上記詳述した通りの構成であるので、以下のような効果がある。
１．テープ保持部とテープ切断部の間にテープ送出部とタブ形成部を設けたため、効率よく確実に残テープの先端にタブを形成できる。また、タブ形成制御機構を別途設けたため、安定したタブの形成が可能となる。
２．タブ形成制御機構が、タブ形成部制御カムの形状に応じてタブ形成基部を揺動させてタブを形成するため、確実に粘着面同士を一定の長さで貼付させる効果がある。また、テープ引き出し時に揺動ギアと固定ギアが係合することによってタブ形成基部を自動的にテープ送出方向へ移動させる構成としたため、操作が容易となり確実にタブの形成ができる。【００１８】
３．テープ切断部に、切断時のみにカッタを露出するカッタカバーを設けたため、テープカッタ使用時や保管時の安全性を確保できる。
４．可動部がテープ引き出し動作に応じて前後移動するため、テープの張力による揺動板の固定化を防止でき、これにより、揺動ギアと固定ギアの噛合の解除が容易となるため、確実に待機状態に戻ることができる。
５．テープ切断部にテープ保持部を設け、更に可動部にテープ係止部を設けたため、引き出された残テープの剥がれを防止でき、安定したタブの形成が可能となる。【００１９】
６．テープ係止部の形状を、横長の断面略半円筒形の長板としたため、粘着テープがテープ係止部に接着する面積が拡大することとなり、摩擦力が増加し、残テープがテープ係止部から剥がれてタブの形成が失敗することを防止できる。
７．テープ係止部の中央にテープ係止間隙を設けたため、テープの横幅方向の中央が弛む事によりタブを確実に形成することができる。
８．タブ形成部の可動部をテープ係止ユニットにまとめて一部材として装着する構造にしたため、テープ係止部の全体の交換が容易かつ自在にすることができる。【００２０】
９．タブ形成基部に、テープを上方向に付勢する非粘着上面を設けたため、タブを確実に形成することが可能となる。
１０．テープ送出ローラ、テンションローラ、付勢ローラ、負荷抑制ローラを円筒の長手方向中央部が膨らんだ樽状としたため、粘着テープ送出時のテープの直進性を確保することが可能となる。
１１．テープ保持部に、リールの回転トルクを調整するトルク調整機構を設けたため、粘着度が異なる粘着テープにも対応でき、安定したタブの形成が可能となる。
【発明を実施するための最良の形態】
【００２１】
以下、本発明に係るテープカッタを、図面に示す実施例に基づいて詳細に説明する。図１は、本発明のテープカッタの斜視図である。図２は、テープカッタのカバーを外した状態の斜視図であり、図３は、テープカッタの透明斜視図である。図４は、待機状態のテープカッタの側面透視図であり、図５は、切断完了時のテープカッタの側面透視図である。図６は、タブの形成完了時のテープカッタの側面透視図であり、図７は、テープ切断部の斜視図である。図８は、テープ係止部の斜視図であり、図９は、テープ係止間隙を設けたテープ係止部の斜視図である。図１０は、可動部の斜視図である。
本発明のテープカッタは、図１に示すように、テープカッタ本体１０と、テープ保持部２０と、粘着テープ２５と、テープ送出部３０と、タブ形成部４０と、テープ切断部５０とからなる。【００２２】
テープ保持部２０は、図１に示すように、捲回された粘着テープ２５を回動可能に保持する構成である。この実施例では、テープ保持部２０は樹脂素材を使用している。なお、粘着テープ２５を引き出す際にテープカッタ本体１０が粘着テープ２５を引き出す力によってテープカッタの姿勢が不安定になることを防止する為、テープカッタ本体１０の土台部には、鉄や鉛、粘土、コンクリート等の重量のある材質を利用する事が望ましい。【００２３】
粘着テープ２５は、捲回された状態でテープ保持部２０に回転自在に保持され、引き出し操作により粘着テープ２５をテープ切断部５０へと送出するテープ送出部３０を通過して送出され、粘着テープの先端面（引き出された残テープの先頭）に粘着面同士を一定の長さで接着し摘み部となるタブを形成するタブ形成部４０を介して、次回のテープ引き出し切断の際にタブの形成されたテープが切断されるようにテープ切断部５０へと送出される。【００２４】
テープ送出部３０は、粘着テープ２５をテープ保持部２０からテープ切断部５０へ送出するための構成である。テープ送出部３０は、図２に示すように、揺動板３２と、揺動ギア３５が固着されたテープ送出ローラ３４と、付勢ローラ３６とから構成される。【００２５】
揺動板３２は、粘着テープ２５の引き出し動作に応じて、引き出し力／復元力によって前後に揺動する構成である。本実施例では、揺動板３２の付勢ローラ３６とテープ送出ローラ３４の間に設けられた軸３７を中心として揺動する構成となっている。また、付勢ローラ３６は、揺動板３２を揺動する構成であり、粘着テープ２５の引き出し時に粘着テープの引き出しに要する力が付勢ローラ３６にかかる事により、揺動板３２が軸３７を中心に前後に揺動する構成である。【００２６】
テープ送出ローラ３４は、揺動ギア３５が固着されており、図２に示すように前記軸を挟んで付勢ローラ３６と反対の端に回転自在に保持されるローラ体である。本実施例では、揺動ギア３５は揺動板３２を挟んだ位置に固着されており、テープ送出ローラ３４の回転に応じて揺動ギア３５が回転する構成となっている。【００２７】
テープ送出ローラ３４は粘着テープ２５の粘着面と接しており、粘着テープの引き出し力を受けて回転する。その回転力は、後述するように揺動ギア３５を介して後述の固定ギア６６と噛合し、回転力をタブ形成制御機構６０に伝達する構成となっている。このため、テープ送出ローラ３４上を粘着テープが滑って回転力にロスが生じない構成とすることが望ましい。従って、本実施例では、図２に示すように、揺動板３２のテープ送出ローラ３４の近傍とテープカッタ本体１０にテンションローラ３９ａ、３９ｂを設け、粘着テープ２５がテープ送出ローラ３４に接する面積を増やす構成としている。【００２８】
タブ形成部４０は、残留する粘着テープ２５の先端に粘着面同士を一定の長さで接着した摘み部となるタブを次回の切断テープ用に形成するための構成であり、可動部４２と、負荷抑制ローラ４３と、タブ形成基部４４と、タブ形成制御棒４６とから構成される。【００２９】
可動部４２は、テープ送出部３０から送出された粘着テープ２５を粘着面を下にして水平に接触保持するための構成であり、テープカッタ本体１０に前後動自在に装着される。粘着テープ２５は、可動部４２を介して、後述のタブ形成基部４４乃至テープ切断部５０に向けて送出されるため、可動部４２で粘着テープ接触時に生じる摩擦による負荷を抑制することが望ましい。本実施例では、図２に示すように、可動部４２のタブ形成部４０側に負荷抑制ローラ４３を備え、粘着テープ２５との摩擦により生じる負荷を抑制している。【００３０】
タブ形成基部４４は、残留する粘着テープ２５の先端に摘み部となる両面を非粘着面とするタブを形成する構成であり、テープカッタの待機状態では可動部４２と接する位置に保持されている。粘着テープ２５の引き出し時には、テープ切断部５０と共にテープの引き出される方向に軸回転し、テープ切断部５０によるテープの切断が完了した時に、引き出されて残った残テープ、すなわち切出し基の粘着テープ２５のその先端を保持して元の位置まで逆戻り回転するという一連の動作を行う。この逆戻り回転の際、可動部４２上に位置する、引き出されて残った残テープは、逆戻りせずそのままの位置で保持されるため、タブ形成基部４４に保持された切出し基の粘着テープ２５の先端が可動部４２上に位置する粘着テープに接近し、粘着面同士が接合し接着することにより、引き出された残テープの先頭端に粘着面が内側に折り合わされて外側が非粘着面となるタブが形成される。【００３１】
タブ形成制御棒４６は、タブ形成基部４４の回転軸近傍に装着され、後述のタブ形成部制御カム６４に当接し、カムの回転移動によって伝達される力を受けて、タブ形成基部４４を前後動させる。【００３２】
タブ形成部４０は、更にタブ形成制御機構６０を装備している。タブ形成制御機構６０は、タブ形成部４０によるタブ形成のための前後の回転動作を制御するための装置であり、図３に示すように、カム制御ギア６２と、タブ形成部制御カム６４とからなる。【００３３】
カム制御ギア６２は、テープ引き出し動作時に揺動ギア３５からの回転力を受け、粘着テープ２５の引き出しに応じて回転するギア体である。粘着テープ２５の切断後は、揺動ギア３５からの回転力の伝達が解除され、カム制御ギア６２は逆回転可能となり、待機状態に戻る。【００３４】
また、タブ形成部制御カム６４は、タブ形成制御棒４６と当接し、タブ形成部制御カム６４の回転動作時にカムの形状に応じてタブ形成基部４４を揺動させるためのカム状部材であり、カム制御ギア６２に固着され、カム制御ギア６２と共に回転する。【００３５】
テープ引き出し動作時には、揺動ギア３５からの回転力の伝達によりカム制御ギア６２が回転し、同時にタブ形成部制御カム６４が回転することで、タブ形成制御棒４６に力が伝達されてタブ形成基部４４がテープ送出方向に移動する。テープ切断完了後は揺動ギア３５からの回転力の伝達が解除されるため、カム制御ギア６２は逆回転し、タブ形成部制御カム６４も逆回転して元の位置に戻る事により、タブ形成制御棒４６への力の伝達も解除され、タブ形成基部４４も後退して元の位置に戻る。【００３６】
次に、本発明に係るテープカッタの動作を、図によって順次説明する。本発明のテープカッタは、テープ引き出し前の待機状態では、図４に示すように、揺動板３２は、テープカッタ本体１０と揺動板３２に固着される揺動制御弾性体３８の復元力によって固定されている。本実施例では、揺動ギア３５の回転力をカム制御ギア６２に伝達するため、テープカッタ本体１０に回転自在に固定される固定ギア６６を設けており、揺動ギア３５は固定ギア６６と離れた状態で保持される。なお、この状態では、タブ形成基部４４およびテープ切断部５０は、可動部４２と接する位置に保持されている。【００３７】
テープ引き出し時には、テープ送出部３０の付勢ローラ３６が粘着テープ２５の引き出し力によって揺動板３２を揺動させる。この動作に伴い、図５に示すようにテープ送出ローラ３４に固着された前記揺動ギア３５が移動して固定ギア６６と噛合し、テープ送出ローラ３４の回転力が伝達可能となる。更に粘着テープ２５を引き出すと、テープ送出ローラ３４が回転する事で揺動ギア３５および固定ギア６６が連動して回転し、カム制御ギア６２に回転力が伝達される。タブ形成部制御カム６４は制御ギア６２の回転に伴い回転するため、タブ形成制御棒４６が回転するタブ形成部制御カム６４の形状に応じて移動するのに伴い、図５に示すようにタブ形成基部４４およびテープ切断部５０がテープ送出方向に移動する。これにより、粘着テープ２５の切断が可能となる。【００３８】
なお、本実施例では、図５に示すように、固定ギア６６とカム制御ギア６２の間に２つのギアを設けた構成としているが、この実施例に限定されるものではなく、固定ギア６６とカム制御ギア６２を直接接続する構成としても良い。また、単一または複数のギアを介して前記カム制御ギア６２に回転力を伝達する構成とすることが考えられる。【００３９】
テープ切断完了時には、タブ形成基部４４が引き出された残テープの先端を貼付保持した状態となる。なお、テープ切断部５０は、タブ形成基部４４に併設され、カッタ５２を有し前記タブ形成基部４４の前後動に応動する構成であるため、図５に示すように、テープ切断部５０が引き出されて残った残テープを貼付保持する構成とすることが望ましく、より確実にタブの形成が可能となる。【００４０】
テープ切断完了後、揺動ギア３５が揺動制御弾性体３８の復元力により逆方向へ移動して固定ギア６６との噛合が解除される。これにより、カム制御ギア６２への回転力が解除され、カム制御ギア６２は逆方向へ回転可能となる。【００４１】
カム制御ギア６２は内部にタブ形成弾性体（図示せず）を設けている。このタブ形成弾性体の復元力によりカム制御ギア６２およびタブ形成部制御カム６４が逆回転し、これに伴いタブ形成基部４４およびテープ切断部５０も逆回転する。なお、本実施例では、タブ形成弾性体は弦巻バネを使用しているが、これに限定されるものではない。【００４２】
この逆回転の際、図６に示すように、可動部４２上に位置する引き出されて残った残テープは、逆戻りせずそのままの位置で保持されるため、テープ保持部５８に保持された切出し基の粘着テープの先端が可動部４２上のテープ係止部４８に位置する粘着テープ２５に接近し、引き出された残テープの先頭端にタブが形成される。【００４３】
テープ切断部５０は、引き出された粘着テープ２５を切断する構成であり、図７に示すように、カッタ５２と、カッタを固定するカッタホルダ５４と、上下動自在に装着されるカッタカバー５６とから構成される。【００４４】
テープ切断部５０は、テープ引き出し時に、タブ形成基部４４から分離移動し、テープ切断完了後にタブ形成基部４４に合体係合する構成とすることが可能である。この構成とすることにより、テープ切断部５０が引き出された残テープを貼付保持する構成とした場合に、テープ引き出し時に可動部４２とテープ切断部５０の間隔を充分確保し、且つ、残テープを貼付しやすい構造とすることが可能となる。【００４５】
また、テープ切断部５０は、図４および図５に示すように、テープ引き出し時に、カッタカバー５６を下降移動してカッタ５２を露出させることで切断可能とし、テープ切断後には、カッタカバー５６を上昇移動してカッタ５２を格納保持する構成となっている。これにより、テープ引き出し前の待機状態ではカッタ５２が露出していないため、指等がカッタ５２に直接接触する事による怪我を防止することができ、安全なテープカッタを提供する事が可能となる。【００４６】
タブ形成部４０の可動部４２は、テープ引き出し動作に応じて前後移動自在にテープカッタ本体１０に装着される構成である。揺動板３２とカム制御ギア６２は、テープ切断完了時にそれぞれ揺動制御弾性体３８の復元力およびタブ形成弾性体（図示せず）の復元力によって、逆回転する構成となっている。しかし、粘着テープ２５の張力が強いと、揺動板３２が逆回転できず、揺動ギア３５と固定ギア６６の噛合が解除されないという状態が生じ得る。【００４７】
これを回避するため、テープ引き出し時には可動部４２がテープ送出方向へ移動をし、テープ切断完了時には可動部４２が後退移動する構成としている。これにより、テープ切断完了時に粘着テープ２５の張力が開放されるため、揺動板３２が容易に逆回転し、揺動ギア３５と固定ギア６６の噛合が解除される。これによってカム制御ギア６２は逆回転可能となり、待機状態に戻る。タブ形成基部４４およびテープ切断部５０も確実に元の位置に戻るため、安定した粘着テープへのタブの形成が可能となった。【００４８】
テープ切断部５０は、図２および図７に示すように、切断時に引き出された残テープを保持するテープ保持部５８を具備する構成とすることが可能である。すなわち、テープ保持部５８に、切断時に引き出された残テープが貼付した状態で、テープ切断部５０は逆回転して元の位置に戻ることになる。【００４９】
また、可動部４２は、図２に示すように、引き出された残テープの剥がれを防止する長板部材からなるテープ係止部４８をテープ引き出し方向と直向する横向きに具備する構成とすることが可能である。正確に引き出された残テープにタブを形成するには、可動部４２上に位置する引き出された残テープが逆戻りせずそのままの位置で保持されている必要があるが、長板からなる盛り上がり部となるテープ係止部４８を具備することで、引き出された残テープが可動部４２上で接着した状態でより確実に保持されることになる。【００５０】
これにより、引き出された残テープのテープ係止部４８からの剥がれを防止でき、安定したタブの形成が可能となる。なお、テープ保持部５８およびテープ係止部４８は、粘着テープに確実に貼り付いて保持する必要があるため、本実施例では、それぞれの素材としてウレタン等を使用しているが、これに限定されるものではなく、適宜材質を選択する事が可能である。【００５１】
テープ係止部４８は、図８に示すように、頂面を山形に形成した横長の断面略半円筒形または蒲鉾形とすることが可能である。この形状とすることにより、粘着テープ２５の粘着面がテープ係止部４８に接着する面積を拡大する事が出来るとともに、粘着テープ２５の張力に対する摩擦力を増加する事が可能となる。これにより、引き出された残テープがテープ係止部４８から剥がれることを防止することが可能となり、かつ、可動部４２上に位置する引き出された残テープが逆戻りせずそのままの位置でより確実に保持することが可能となる。【００５２】
また、テープ係止部４８は、更に図９に示すように、断面略半円筒形の長板を２分割した形状であって、その中央に粘着テープの断面を略Ｕ字型に成形するためのテープ係止間隙４１を設けた構成である。テープ切断時に、粘着テープ２５がテープ係止間隙４１上に送られ、２分割した形状のテープ係止部４８に接着すると、粘着テープ２５の横幅方向が断面略Ｕ字型に湾曲する。この状態で、引き出された残テープに、タブ形成部４０によってタブが形成されると、テープが上方に折れ曲がりやすくなる。すなわち、粘着テープ２５にこの変形を加えることにより、タブが残テープ上方に向けて形成されやすくなるため、タブを確実に形成することが可能となる。【００５３】
タブ形成部４０の可動部４２は、図１０に示すように、テープ係止ユニット４５を着脱自在に装着した構成としている。テープ係止ユニット４５は、テープ係止部４８を保持する土台となるテープ係止基部４７と、引き出された残テープを接着保持するテープ係止部４８からなり、テープ係止部４８が粘着テープ２５の進行方向と直交する向きとなるように可動部４２に着脱自在に装着される。この構成とすることにより、使用する粘着テープ２５の幅、粘着度、硬さなどの種類に応じて、テープ係止部４８の形状を適宜選択して交換することが可能となるとともに、テープ係止部４８が劣化した際には容易に交換することが可能となり、より使い勝手の良いテープカッタを構成することが可能となる。【００５４】
なお、テープ係止ユニット４５は、本実施例では螺子により固定する構成となっているが、これに限定されるものではなく、嵌め込み式、スライド挿入式など、設置方法を適宜選択することが可能である。【００５５】
タブ形成基部４４は、非粘着上面４９を装備している。非粘着上面４９は非粘着性素材からなり、粘着テープ２５が接着しない材質からなる構成である。非粘着上面４９は、図５に示すように、テープ保持部５８およびテープ係止部４８の間に、テープ引き出し時に粘着テープ２５の粘着面に接してテープを上方向に付勢するように装着される。これにより、引き出された残テープにタブを形成する際に、タブが逆側（下方向）に折れ曲がる事を防ぎ、確実に粘着面同士を接合させることが可能となった。【００５６】
テープ送出ローラ３４、テンションローラ３９ａ、３９ｂ、付勢ローラ３６、負荷抑制ローラ４３は、ローラ端部から中心部に向けて直径を太くして、円筒の長手方向中央部が膨らんだ樽状としたものを使用することが可能である。テープカッタ本体１０内での粘着テープ２５の直進性が損なわれると、確実なタブの形成が困難となる。樽状とすることにより、粘着テープ送出時の粘着テープ２５の直進性を確保することが可能となり、安定したタブの形成が可能となった。なお、各ローラの形状は樽状に限定されるものではなく、粘着テープの直進性が得られる形状を適宜選択する事が可能である。【００５７】
また、テープ保持部２０は、トルク調整機構２４を装備することが可能である。トルク調整機構２４は、粘着テープ２５を保持するリール２２の回転トルクを調整する構成であり、本実施例では、螺子の締め付けによる回転トルクの制御を行う構成としている。これにより、幅、厚み、大きさ、粘着度が異なる粘着テープであっても、安定して本装置に導入してタブを形成する事が可能となり、あらゆる種類の粘着テープを使用することが可能となった。
【図面の簡単な説明】
【００５８】
【図１】本発明のテープカッタの斜視図
【図２】テープカッタのカバーを外した状態の斜視図
【図３】テープカッタの透明斜視図
【図４】待機状態のテープカッタの側面透視図
【図５】切断完了時のテープカッタの側面透視図
【図６】タブの形成完了時のテープカッタの側面透視図
【図７】テープ切断部の斜視図
【図８】テープ係止部の斜視図
【図９】テープ係止間隙を設けたテープ係止部の斜視図
【図１０】可動部の斜視図
【符号の説明】
【００５９】
１０  テープカッタ本体
２０  テープ保持部
２２  リール
２４  トルク調整機構
２５  粘着テープ
３０  テープ送出部
３２  揺動板
３４  テープ送出ローラ
３５  揺動ギア
３６  付勢ローラ
３７  軸
３８  揺動制御弾性体
３９ａ、３９ｂ  テンションローラ
４０  タブ形成部
４１  テープ係止間隙
４２  可動部
４３  負荷抑制ローラ
４４  タブ形成基部
４５  テープ係止ユニット
４６  タブ形成制御棒
４７  テープ係止基部
４８  テープ係止部
４９  非粘着上面
５０  テープ切断部
５２  カッタ
５４  カッタホルダ
５６  カッタカバー
５８  テープ保持部
６０  タブ形成制御機構
６２  カム制御ギア
６４  タブ形成部制御カム
６６  固定ギア
【図１】
2013175544.tif 000003
【図２】
2013175544.tif 000004
【図３】
2013175544.tif 000005
【図４】
2013175544.tif 000006
【図５】
2013175544.tif 000007
【図６】
2013175544.tif 000008
【図７】
2013175544.tif 000009
【図８】
2013175544.tif 000010
【図９】
2013175544.tif 000011
【図１０】
2013175544.tif 000012
【国際調査報告】
2013175544.tif 000013
2013175544.tif 000014